(57)【要約】【課題】カバー部を開けた場合に、画像形成部が駆動することを防止できる画像形成装置を提供する。【解決手段】メンテナンス用カバー２６が開けられたときに、用紙に画像を形成する際に必要となる画像形成部２８が外部に露出することになるが、押圧部材３４によりインターロックスイッチ３０の稼動が停止させるため、画像形成部２８が駆動されることがない。これにより、画像形成部２８が不意に駆動することによりサービスマンのメンテナンスの妨げになることがなく、また、サービスマンに悪影響を及ぼすことを防止できる。【選択図】      図３
2006330632.tif 000002
【特許請求の範囲】
【請求項１】
用紙に画像を形成する際に必要となる画像形成部と、開閉により前記画像形成部を外部に露出又は外部から閉塞するカバー部と、稼動により前記画像形成部を駆動させる起動部と、を備えた画像形成装置であって、
前記カバー部が開けられたときに、前記起動部の稼動を停止させる起動停止手段を備えたことを特徴とする画像形成装置。
【請求項２】
前記画像形成部は、レーザ光を照射するＬＳＵ部と、高電圧を印加させるための高圧電源部と、画像を用紙に定着させるための定着機のヒータ部と、用紙の搬送を行う搬送ローラを駆動するモータ部と、で構成されていることを特徴とする請求項１に記載の画像形成装置。
【請求項３】
前記起動停止手段により前記起動部の稼動が停止された状態から前記ＬＳＵ部と、前記高圧電源部と、前記ヒータ部と、前記モータ部と、をそれぞれ単独又は複合的に駆動させる駆動開始手段を備えたことを特徴とする請求項２に記載の画像形成装置。
【請求項４】
前記カバー部が閉められたときに、前記起動停止手段による前記起動部の稼動の停止が解除されることを特徴とする請求項１乃至３のいずれか１項に記載の画像形成装置。
【請求項５】
前記起動停止手段は、前記カバー部が前記画像形成装置から取り外されたときに、前記起動部の稼動を停止させ、かつ前記駆動開始手段を停止の状態にすることを特徴とする請求項３又は４のいずれか１項に記載の画像形成装置。
【発明の詳細な説明】
【技術分野】
【０００１】
本発明は、用紙に画像を形成するために必要なＬＳＵ部（レーザスキャンユニット）などの各構成部材からなる画像形成部を備えた画像形成装置に関する。
【背景技術】
【０００２】
従来の画像形成装置には、ポリゴンミラーやポリゴンミラーを回転駆動させるポリゴンモータなどが配置されたＬＳＵ（レーザスキャンユニット）と、高圧電源部と、各種駆動モータと、定着器用ヒータと、ファンなどの各構成部材で構成される画像形成部が設けられている。この画像形成部は、ユーザが安易に接触できないようにカバー部の内部に収容されている。
【特許文献１】特開２００２−２５８５６５号公報
【特許文献２】特開２００３−２６３０８２号公報
【特許文献３】特開２００２−２３４３８号公報
【発明の開示】
【発明が解決しようとする課題】
【０００３】
ところで、サービスマンが画像形成部などをメンテナンスするときにはカバー部を開ける必要があるが、このときに、画像形成部が誤って駆動し、例えばレーザ光が照射されると、メンテナンスの妨げになり、またサービスマンにとって悪影響を及ぼす恐れもある。
【０００４】
そこで、本発明は、上記事情を考慮し、カバー部を開けた場合に、画像形成部が駆動することを防止できる画像形成装置を提供することを目的とする。
【課題を解決するための手段】
【０００５】
請求項１に記載の発明は、用紙に画像を形成する際に必要となる画像形成部と、開閉により前記画像形成部を外部に露出又は外部から閉塞するカバー部と、稼動により前記画像形成部を駆動させる起動部と、を備えた画像形成装置であって、前記カバー部が開けられたときに、前記起動部の稼動を停止させる起動停止手段を備えたことを特徴とする。
【０００６】
請求項１に記載の発明によれば、カバー部が開けられたときに、用紙に画像を形成する際に必要となる画像形成部が外部に露出することになるが、起動停止手段により起動部の稼動が停止させるため、画像形成部が駆動されることがない。これにより、画像形成部が不意に駆動することによりサービスマンのメンテナンスの妨げになることがなく、また、サービスマンに悪影響を及ぼすことを防止できる。
【０００７】
請求項２に記載の発明は、請求項１に記載の画像形成装置において、前記画像形成部は、レーザ光を照射するＬＳＵ部と、高電圧を印加させるための高圧電源部と、画像を用紙に定着させるための定着機のヒータ部と、用紙の搬送を行う搬送ローラを駆動するモータ部と、で構成されていることを特徴とする。
【０００８】
請求項２に記載の発明によれば、画像形成部は、レーザ光を照射するＬＳＵ部と、高電圧を印加させるための高圧電源部と、画像を用紙に定着させるための定着機のヒータ部と、用紙の搬送を行う搬送ローラを駆動するモータ部と、で構成されていることにより、既存の構成部材を用いて容易に構成することができる。
【０００９】
請求項３に記載の発明は、請求項２に記載の画像形成装置において、前記起動停止手段により前記起動部の稼動が停止された状態から前記ＬＳＵ部と、前記高圧電源部と、前記ヒータ部と、前記モータ部と、をそれぞれ単独又は複合的に駆動させる駆動開始手段を備えたことを特徴とする。
【００１０】
請求項３に記載の発明によれば、起動停止手段により起動部の稼動が停止された状態から、駆動開始手段によりＬＳＵ部と、高圧電源部と、ヒータ部と、モータ部と、をそれぞれ単独又は複合的に駆動させることができる。これにより、カバー部が開けられた状態でも、画像形成部が正常に駆動するか否かを確認することができる。
【００１１】
請求項４に記載の発明は、請求項１乃至３のいずれか１項に記載の画像形成装置において、前記カバー部が閉められたときに、前記起動停止手段による前記起動部の稼動の停止が解除されることを特徴とする。
【００１２】
請求項４に記載の発明によれば、カバー部が閉められたときに、起動停止手段による起動部の稼動の停止が解除されることにより、画像形成部を駆動させることができる。これにより、用紙に画像を形成させることができる。
【００１３】
請求項５に記載の発明は、請求項３又は４のいずれか１項に記載の画像形成装置において、前記起動停止手段は、前記カバー部が前記画像形成装置から取り外されたときに、前記起動部の稼動を停止させ、かつ前記駆動開始手段を停止の状態にすることを特徴とする。
【００１４】
請求項５に記載の発明によれば、カバー部が画像形成装置から取り外されると、カバー部が開けられたときと同様に、画像形成部が外部に露出することになるが、このとき起動停止手段により起動部の稼動が停止させられ、かつ駆動開始手段が停止の状態にされるため、画像形成部が駆動されることがない。これにより、画像形成部が不意に駆動することによりサービスマンのメンテナンスの妨げになることがなく、また、サービスマンに悪影響を及ぼすことを防止できる。
【発明の効果】
【００１５】
本発明によれば、カバー部を取り外しあるいは開けた場合に、画像形成部が駆動することを防止できる。
【発明を実施するための最良の形態】
【００１６】
次に、本発明の一実施形態に係る画像形成装置について、図面を参照して説明する。
【００１７】
図１に示すように、画像形成装置１０は、外枠となる筐体１２を備えている。この筐体１２の下部には、用紙が収容されている用紙カセット１４が配置されている。また、筐体１２の一方の側面には、ジャム紙除去用カバー１６が開閉自在に設けられている。また、筐体１２の一方の側面の上部には、入力部１８が設けられている。この入力部１８には、複数の入力ボタン１８Ａと、所定の情報を表示する液晶表示部１８Ｂと、が設けられている。また、入力部１８の下方であって用紙カセット１４の上部には、後述するメンテナンス用カバー（カバー部）２６が着脱自在に取り付けられている。
【００１８】
また、筐体１２の上部には、用紙搬送装置（ＡＤＦ）２０が配置されている。この用紙搬送装置２０の内部には、用紙を画像読取部位に供給するための搬送ローラ（図示省略）が設けられている。また、用紙搬送装置２０の用紙進入口の近傍には、用紙搬送装置２０の内部に供給される用紙が載置される給紙トレイ２２が設けられている。また、用紙搬送装置２０の用紙排出口の近傍に位置する筐体１２上面には、排紙トレイ２４が形成されている。この排紙トレイ２４は、給紙トレイ２２の下方に位置している。
【００１９】
図２に示すように、筐体１２の内部には、画像形成部２８を構成するＬＳＵ（レーザスキャンユニット、ＬＳＵ部）２８Ａが配置されている。このＬＳＵ２８Ａには、光を出射させるポリゴンミラー（図示省略）と、ポリゴンミラーを回転駆動するポリゴンモータ（図示省略）と、ポリゴンミラーから出射された光を所定の方向に反射させて画像読取部位に照射させる複数の反射ミラー（図示省略）と、が設けられている。また、筐体１２の内部には、ＬＳＵ２８Ａと共に画像形成部２８を構成する、搬送ローラ（図示省略）などの各ローラ（図示省略）を回転駆動させるための駆動モータ（モータ部）２８Ｂと、所定の部位に高電圧を印加させるための高圧電源部２８Ｃと、内部の熱を外部に導くファン２８Ｄと、画像を用紙に定着させる定着器のヒータ（ヒータ部）２８Ｅなどが設けられている。また、筐体１２の前面には、メンテナンス用カバー（カバー部）２６が着脱自在に設けられている。このメンテナンス用カバー２６は、その開閉により画像形成部２８を外部に露出又は外部から閉塞することができるようになっている。
【００２０】
また、図２及び図３に示すように、稼動により画像形成部２８を駆動させるためのインターロックスイッチ（起動部）３０が設けられている。また、インターロックスイッチ３０には、押圧されることにより画像形成部２８を駆動させる起動ボタン３０Ａが設けられている。これにより、インターロックスイッチ３０の起動ボタン３０Ａが押圧されることにより画像形成部２８が駆動され、起動ボタン３０Ａの押圧が解消されることにより画像形成部２８の駆動が停止される。また、インターロックスイッチ３０の近傍には、起動ボタン３０Ａに接触可能な可撓性の板状部材３２が設けられている。また、板状部材３２の近傍には、メンテナンス用カバー２６が筐体１２に取り付けられて画像形成部２８を外部から閉塞したときに、メンテナンス用カバー２６から所定の圧力が作用することにより、板状部材３２とともに起動ボタン３０Ａを押圧する押圧部材（起動停止手段）３４が設けられている。この押圧部材３４には、板状部材３２により起動ボタン３０Ａと離間させる方向（起動ボタン３０Ａとは反対側の方向）に所定の弾性力で常時付勢されている。このため、メンテナンス用カバー２６が筐体１２から取り外されて画像形成部２８が外部に露出した状態では、板状部材３２から作用する弾性力により押圧部材３４が起動ボタン３０Ａから離間する方向に退避しているため、起動ボタン３０Ａは押圧部材３４により押圧されることがなく、インターロックスイッチ３０の稼動は停止される（図３（Ｂ）参照）。一方、メンテナンス用カバー２６が筐体１２から取り付けられて画像形成部２８が外部から閉塞した状態では、押圧部材３４がメンテナンス用カバー２６により押圧されるため、押圧部材３４が板状部材３２からの弾性力を対抗して板状部材３２とともに起動ボタン３０Ａを押圧する（図３（Ａ）参照）。これにより、画像形成部２８が駆動される。また、画像形成装置１０には、起動ボタン３０Ａが押圧され画像形成部２８が駆動していない状態でも、ＯＮの状態にすることにより画像形成部２８を駆動させることが可能な駆動回復ボタン（駆動開始手段）３６が設けられている。なお、この駆動回復ボタン３６には、駆動回復ボタン３６をＯＦＦの状態にさせ、画像形成部２８の駆動を停止させることができる非常停止ボタン（図示省略）が設けられている。
【００２１】
次に、本実施形態の画像形成装置１０の作用について説明する。
【００２２】
図３（Ａ）に示すように、メンテナンス用カバー２６が筐体１２に取り付けられて画像形成部２８を外部から閉塞した状態では、メンテナンス用カバー２６から所定の圧力が押圧部材３４に作用する。これにより、押圧部材３４が板状部材３２からの弾性力を対抗して板状部材３２とともに起動ボタン３０Ａを押圧するし、画像形成部２８の駆動が維持される。この状態では、用紙に画像を形成させることができる。
【００２３】
一方、図３（Ｂ）に示すように、例えばサービスマンによるメンテナンス時に、メンテナンス用カバー２６が開けられ又は筐体１２から取り外されて画像形成部２８が外部に露出した状態では、押圧部材３４には起動ボタン３０Ａから離間する方向に向かう弾性力が板状部材３２から作用しているため、押圧部材３４は起動ボタン３０Ａから離間した位置に退避する。この状態では、起動ボタン３０Ａは押圧部材３４により押圧されることがないため、インターロックスイッチ３０の稼動は停止される。また、メンテナンス用カバー２６が開けられ又は筐体１２から取り外されて画像形成部２８が外部に露出した状態では、押圧部材３４により駆動回復ボタン３６に設けられた非常停止ボタン（図示省略）が押圧されて、駆動回復ボタン３６がＯＦＦの状態となる。これらにより、画像形成部２８が駆動することがなく、例えば例えばレーザ光などが誤って照射等されることがない。この結果、画像形成部２８が不意に駆動することによりサービスマンのメンテナンスの妨げになることがなく、また、サービスマンに悪影響を及ぼすことを防止できる。
【００２４】
なお、起動ボタン３０Ａが押圧されず画像形成部２８が駆動しない状態でも、駆動回復ボタン３６を再度ＯＮの状態にすることにより、画像形成部２８を駆動させることができる。これにより、メンテナンス用カバー２６が開けられ又は筐体１２から取り外された状態でも、画像形成部２８が正常に駆動するか否かを確認することができる。
【００２５】
以上のように、本実施形態では、メンテナンス用カバー２６と、インターロックスイッチ３０と、駆動回復ボタン３６と、画像形成部２８のそれぞれの駆動（ＯＮ）あるいは稼動（ＯＮ）と停止（ＯＦＦ）との関係を示すと、以下の表１のようになる。
【表１】
2006330632.tif 000003
【００２６】
なお、本実施形態では、押圧部材３４をメンテナンス用カバー２６の開閉に連動させる構成を例にとり説明したが、この構成に限られるものではなく、例えば、筐体１２に取り付けられている他のカバー（例えば、ジャム紙除去用カバー１６）の開閉や用紙カセット１４の開閉に連動させるように構成してもよい。
【図面の簡単な説明】
【００２７】
【図１】本発明の一実施形態に係る画像形成装置の斜視図である。
【図２】本発明の一実施形態に係る画像形成装置の要部を示すブロック図である。
【図３】（Ａ）は本発明の一実施形態に係る画像形成装置を構成するカバー部により画像形成部が外部から閉塞された状態の起動部の状態図であり、（Ｂ）はカバー部により画像形成部が外部に開放された状態の起動部の状態図である。
【符号の説明】
【００２８】
１０    画像形成装置
２６    メンテナンス用カバー（カバー部）
２８    画像形成部
２８Ａ  ＬＳＵ（ＬＳＵ部）
２８Ｂ  駆動モータ（モータ部）
２８Ｃ  高圧電源部
２８Ｅ  ヒータ（ヒータ部）
３０    インターロックスイッチ（起動部）
３４    押圧部材（起動停止手段）
３６    駆動回復ボタン（駆動開始手段）
【図１】
2006330632.tif 000004
【図２】
2006330632.tif 000005
【図３】
2006330632.tif 000006